(57)【要約】【課題】再生対象のオーディオデータを容易に選択することが可能なリモートコントロール方法を実現する。【解決手段】携帯電話１２はオーディオプレーヤ１１にオーディオデータ取得要求を無線信号によって伝送する。オーディオプレーヤ１１は、オーディオデータ取得要求に応答して、オーディオプレーヤ１１に設けられたＨＤＤ１０７に格納されているオーディオデータ群を示すコンテンツ情報を携帯電話１２に無線信号によって伝送する。携帯電話１２はコンテンツ情報に基づいて、ＨＤＤ１０７に格納されているオーディオデータの一覧を表示部１２０に表示する。携帯電話１２はオーディオデータの一覧の中から選択されたオーディオデータの再生を指示する再生コマンドをオーディオプレーヤ１１に無線信号によって伝送する。【選択図】      図１
2006094414.tif 000002
【特許請求の範囲】
【請求項１】
オーディオ再生装置の動作を表示装置付きの無線端末によってリモートコントロールするリモートコントロール方法であって、
前記無線端末と前記オーディオ再生装置との間の無線接続を確立するステップと、
前記無線端末から前記オーディオ再生装置にオーディオデータ取得要求を無線信号によって伝送するステップと、
前記無線端末からの前記オーディオデータ取得要求に応答して、前記オーディオ再生装置に設けられた記憶媒体に格納されているオーディオデータ群を示すコンテンツ情報を前記無線端末から前記オーディオ再生装置に無線信号によって伝送するステップと、
前記オーディオ再生装置からの前記コンテンツ情報に基づいて、前記記憶媒体に格納されているオーディオデータの一覧を前記無線端末の表示装置に表示するステップと、
前記表示装置に表示されたオーディオデータの一覧の中から選択されたオーディオデータの再生を指示する再生コマンドを前記無線端末から前記オーディオ再生装置に無線信号によって伝送するステップとを具備することを特徴とするリモートコントロール方法。
【請求項２】
前記記憶媒体に格納された前記オーディオデータ群は複数のフォルダに分類して管理されており、
前記オーディオデータの一覧を表示するステップは、前記コンテンツ情報に含まれる前記複数のフォルダに関する情報に基づいて、前記複数のフォルダの一覧を前記表示装置に表示するステップを含み、
前記再生コマンドを伝送するステップは、前記複数のフォルダの中の一つが再生対象として選択された場合、前記選択されたフォルダに属する全てのオーディオデータの再生を指示するコマンドを前記無線端末から前記オーディオ再生装置に無線信号によって伝送するステップを含むことを特徴とする請求項１記載のリモートコントロール方法。
【請求項３】
前記無線端末は、携帯電話網との無線通信を実行する第１の無線通信部と前記オーディオ再生装置との無線通信を実行する第２の無線通信部とを含む携帯電話機であり、前記オーディオ再生装置をリモートコントロールするためのプログラムを前記携帯電話網を介して外部のサーバから前記携帯電話機にダウンロードするステップをさらに具備することを特徴とする請求項１記載のリモートコントロール方法。
【請求項４】
前記無線端末が所定期間操作されなかった場合、前記オーディオ再生装置によるオーディオデータの再生動作を継続した状態で前記無線端末と前記オーディオ再生装置との間の無線接続を切断するステップをさらに具備することを特徴とする請求項１記載のリモートコントロール方法。
【請求項５】
前記無線端末は前記無線端末の表示装置の解像度は前記オーディオ再生装置に設けられた表示装置の解像度よりも大きく、
前記オーディオデータの一覧を表示するステップは、前記オーディオ再生装置の表示装置に表示可能なオーディオデータの一覧よりも多くのオーディオデータを含むオーディオデータの一覧を前記無線端末の表示装置に表示することを特徴とする請求項１記載のリモートコントロール方法。
【請求項６】
前記オーディオ再生装置によって再生中のオーディオデータに関する再生情報を無線信号によって前記オーディオ再生装置から前記無線端末に伝送するステップと、
前記再生情報を前記無線端末の表示装置に表示するステップとをさらに具備することを特徴とする請求項１記載のリモートコントロール方法。
【請求項７】
再生されるオーディオデータの音量および音質を調整する再生制御情報を無線信号によって前記無線端末から前記オーディオ再生装置に伝送するステップと、
前記再生制御情報に基づいて設定された前記オーディオ再生装置のオーディオデータ再生環境を示す再生環境情報を、前記無線端末を識別するための識別情報に対応づけて前記オーディオ再生装置の記憶装置に保存するステップと、
前記オーディオ再生装置に新たに無線端末が接続された場合、前記新たに接続された無線端末の識別情報に対応する再生環境情報を前記記憶装置から検索し、その検索された再生環境情報に基づいて前記オーディオ再生装置のオーディオデータ再生環境を前記新たに接続された無線端末に対応するオーディオデータ再生環境に復元するステップとをさらに具備することを特徴とする請求項１記載のリモートコントロール方法。
【請求項８】
オーディオ再生装置の動作をリモートコントロールする、表示装置付きの無線端末であって、
前記オーディオ再生装置との間の無線接続を確立する手段と、
前記オーディオ再生装置との無線通信によって、前記オーディオ再生装置に設けられた記憶媒体に格納されているオーディオデータ群を示すコンテンツ情報を前記無線端末から取得する手段と、
前記取得した前記コンテンツ情報に基づいて、前記記憶媒体に格納されているオーディオデータの一覧を表示装置に表示する手段と、
前記表示装置に表示されたオーディオデータの一覧の中から選択されたオーディオデータの再生を指示する再生コマンドを前記オーディオ再生装置に無線信号によって伝送する手段とを具備することを特徴とする無線端末。
【請求項９】
前記記憶媒体に格納された前記オーディオデータ群は複数のフォルダに分類して管理されており、
前記オーディオデータの一覧を表示する手段は、前記コンテンツ情報に含まれる前記複数のフォルダに関する情報に基づいて、前記複数のフォルダの一覧を前記表示装置に表示する手段を含み、
前記再生コマンドを伝送する手段は、前記複数のフォルダの中の一つが再生対象として選択された場合、前記選択されたフォルダに属する全てのオーディオデータの再生を指示するコマンドを前記オーディオ再生装置に無線信号によって伝送する手段を含むことを特徴とする請求項８記載の無線端末。
【請求項１０】
オーディオデータを再生するオーディオ再生装置であって、
無線端末との間の無線接続を確立する手段と、
前記無線端末との無線通信によって、前記オーディオ再生装置に設けられた記憶媒体に格納されているオーディオデータ群を示すコンテンツ情報を前記無線端末に無線信号によって伝送する手段と、
前記無線端末から無線信号によって伝送される、前記オーディオデータ群の中から前記前記無線端末によって選択されたオーディオデータの再生を指示する再生コマンドに応答して、前記選択されたオーディオデータを再生する手段と、
再生中のオーディオデータに関する再生情報を無線信号によって前記無線端末に伝送する手段とを具備することを特徴とするオーディオ再生装置。
【発明の詳細な説明】
【技術分野】
【０００１】
本発明はオーディオ再生装置の動作を無線端末によってリモートコントロールするリモートコントロール方法、およびこのリモートコントロール方法が適用される無線端末およびオーディオ再生装置に関する。
【背景技術】
【０００２】
近年、携帯型オーディオプレーヤのようなオーディオ再生装置が種々開発されている。通常、携帯型オーディオプレーヤの制御は、その携帯型オーディオプレーヤに接続されるヘッドフォンケーブルに付加されたリモートコントローラを用いて行われる。
【０００３】
リモートコントローラは、例えばユーザの胸ポケット等にクリップ等で固定した状態で使用される。再生、停止、早送り、巻き戻し、曲のスキップといった再生制御のための操作を行うためには、ユーザは、胸ポケットの位置に手を伸ばしてリモートコントローラを操作することが必要である。この場合、リモートコントローラを操作しようとした際に誤ってヘッドフォンケーブルを引っ張っていまい、ヘッドフォンが耳から外れてしまうことがある。
【０００４】
そこで、最近では、無線信号によって携帯型オーディオプレーヤを制御するリモートコントロールシステムが開発され始めている（例えば、特許文献１参照）。この特許文献１のシステムにおいては、携帯電話がリモートコントローラとして用いられ、携帯電話からの無線信号によって携帯型オーディオプレーヤの再生動作が制御される。
【特許文献１】特開２００３−８７８７４号公報
【発明の開示】
【発明が解決しようとする課題】
【０００５】
ところで、最近では、大容量の記憶メディアを搭載した携帯型オーディオプレーヤが開発されている。したがって、記憶メディアに格納されている多数のオーディオデータの中から再生対象のオーディオデータを効率よく選択するための機能が必要である。
【０００６】
しかし、特許文献１のシステムにおいては、携帯型オーディオプレーヤに再生させるべきオーディオデータを選択するためのユーザインタフェースについては考慮されていない。
【０００７】
通常、携帯型オーディオプレーヤのようなオーディオ再生装置に設けられている表示装置は画面サイズが小さく、十分な情報を表示することはできない。携帯電話の表示装置の画面サイズは比較的大きいので、その画面サイズを有効活用することが可能な新たなユーザインタフェースを実現することが必要である。
【０００８】
本発明は上述の事情を考慮してなされたものであり、再生対象のオーディオデータを容易に選択することが可能なリモートコントロール方法、無線端末およびオーディオ再生装置を提供することを目的とする。
【課題を解決するための手段】
【０００９】
上述の課題を解決するため、本発明は、オーディオ再生装置の動作を表示装置付きの無線端末によってリモートコントロールするリモートコントロール方法であって、前記無線端末と前記オーディオ再生装置との間の無線接続を確立するステップと、前記無線端末から前記オーディオ再生装置にオーディオデータ取得要求を無線信号によって伝送するステップと、前記無線端末からの前記オーディオデータ取得要求に応答して、前記オーディオ再生装置に設けられた記憶媒体に格納されているオーディオデータ群を示すコンテンツ情報を前記無線端末から前記オーディオ再生装置に無線信号によって伝送するステップと、前記オーディオ再生装置からの前記コンテンツ情報に基づいて、前記記憶媒体に格納されているオーディオデータの一覧を前記無線端末の表示装置に表示するステップと、前記表示装置に表示されたオーディオデータの一覧の中から選択されたオーディオデータの再生を指示する再生コマンドを前記無線端末から前記オーディオ再生装置に無線信号によって伝送するステップとを具備することを特徴とする。
【発明の効果】
【００１０】
本発明によれば、再生対象のオーディオデータを容易に選択することが可能となる。
【発明を実施するための最良の形態】
【００１１】
以下、図面を参照して、本発明の実施形態を説明する。  
図１には、本発明の一実施形態に係るリモートコントロール方法を用いたリモートコントロールシステムの構成例が示されている。このリモートコントロールシステムは、携帯型オーディオプレーヤ１１とリモートコントローラ１２とから構成される。携帯型オーディオプレーヤ１１はオーディオデータを再生する装置である。リモートコントローラ１２は携帯型オーディオプレーヤ１１を無線信号によってリモートコントロールするための、表示器付きの無線端末であり、例えば携帯電話、ＰＤＡ等によって実現されている。以下では、リモートコントローラ１２が携帯電話によって実現されている場合を想定する。
【００１２】
携帯型オーディオプレーヤ１１および携帯電話１２の各々はそれぞれＢｌｕｅｔｏｏｔｈ規格に準拠した無線通信部を備えている。Ｂｌｕｅｔｏｏｔｈは近距離無線通信の規格である。携帯型オーディオプレーヤ１１と携帯電話１２との間の無線通信は、Ｂｌｕｅｔｏｏｔｈ規格に従って実行される。本実施形態においては、携帯型オーディオプレーヤ１１と携帯電話１２との間の無線通信は、例えば、Ｂｌｕｅｔｏｏｔｈ規格で規定されているオーディオ・ビデオ・コントロール・プロファイル（ＡＶＲＣＰ）に従って実行される。この場合、携帯型オーディオプレーヤ１１はＡＶＲＣＰで規定されたターゲット（ＴＧ）として機能し、また携帯電話１２はＡＶＲＣＰで規定されたコントローラ（ＣＴ）として機能する。
【００１３】
携帯電話１２は、携帯型オーディオプレーヤ１１をリモートコントロールするためのコマンド等を無線信号によって携帯型オーディオプレーヤ１１に伝送する。携帯型オーディオプレーヤ１１は、携帯型オーディオプレーヤ１１をリモートコントロールするために必要な各種情報を無線信号によって携帯電話１２に伝送する。
【００１４】
携帯電話１２は、無線公衆回線（携帯電話網）を介して外部のコンテンツサーバ１３と通信することにより、オーディオリモートコントロールアプリケーションをコンテンツサーバ１３からダウンロードすることができる。オーディオリモートコントロールアプリケーションは携帯型オーディオプレーヤ１１をリモートコントロールするためのアプリケーションプログラムである。携帯電話１２は、オーディオリモートコントロールアプリケーションを実行することにより、携帯型オーディオプレーヤ１１をリモートコントロールするためのリモートコントローラとして機能することができる。
【００１５】
次に、図２を参照して、携帯型オーディオプレーヤ１１の構成を説明する。
【００１６】
携帯型オーディオプレーヤ１１は、図２に示すように、音声出力部１０１、ヘッドフォン１０２と、表示部１０３と、入力部１０４、無線通信部１０５、メモリ１０６、ハードディスクドライブ（ＨＤＤ）１０７、電源部１０８、およびシステム制御部１０９を備えている。
【００１７】
音声出力部１０１は再生対象のオーディオデータをデジタル信号形式からアナログ信号形式に変換するサウンドコントローラである。この音声出力部１０１にはヘッドフォンケーブルを介してヘッドフォン１０２が接続されている。表示部１０３は、携帯型オーディオプレーヤ１１をユーザが操作するために必要な各種情報を表示する。例えば、再生中または再生対象として選択されているオーディオデータに関する再生情報（オーディオデータ名、アーティスト名、アルバム名、再生開始からの経過時間、再生モード等）が表示部１０３の表示画面上に表示される。また、再生中のオーディオデータの音量および音質（イコライザの種類）等の情報も表示部１０３の表示画面上に表示される。
【００１８】
入力部１０４は携帯型オーディオプレーヤ１１を操作するための各種ボタンスイッチから構成されている。ユーザは、入力部１０４を操作することにより、再生すべきオーディオデータの選択、再生、停止（一時停止）、早送り、巻き戻し、曲のスキップといった再生制御を行うことができる。無線通信部１０５は他のＢｌｕｅｔｏｏｔｈデバイスとの無線通信を実行する。この無線通信部１０５はベースバンド部およびＲＦ部を含んでいる。
【００１９】
メモリ１０６は、システム制御部１０９の作業領域として使用される。このメモリ１０６には、システム制御部１０９によって実行される各種プログラムおよびデータが格納される。ＨＤＤ１０７は多数のオーディオデータを格納可能な記憶媒体である。このＨＤＤ１０７に格納されたオーディオデータ群それぞれに対応するファイル群は、システム制御部１０９によって実行されるファイルシステムによって複数のフォルダに分類して管理されている。電源部１０８はバッテリ（または乾電池）とこのバッテリから携帯型オーディオプレーヤ１１の各コンポーネントに供給すべき動作電源を生成する電源回路とを含む。システム制御部１０９は、携帯型オーディオプレーヤ１１の動作を制御するプロセッサであり、携帯型オーディオプレーヤ１１をオーディオプレーヤとして機能させるための各種処理を実行すると共に、ＨＤＤ１０７に格納されたオーディオデータ群の管理および無線通信部１０５の制御を実行する。
【００２０】
次に、図３を参照して、携帯電話１２の構成を説明する。
【００２１】
携帯電話１２は、図３に示すように、表示部１２０、メモリ１２１、第１の無線通信部１２２、第２の無線通信部１２３、電源部１２４、入力部１２５、およびシステム制御部１２６等から構成されている。
【００２２】
表示部１２０は携帯電話１２をユーザが操作するために必要な各種情報を表示する。この表示部１２０の表示画面のサイズ（解像度）は携帯型オーディオプレーヤ１１の表示部１０３の表示画面のサイズ（解像度）よりも大きく、表示部１０３よりも多くの情報を一度に表示することができる。携帯電話１２上でオーディオリモートコントロールアプリケーションが実行された場合、ユーザが携帯型オーディオプレーヤ１１をリモートコントロールするために必要な各種情報がオーディオリモートコントロールアプリケーションによって表示部１２０の表示画面上にオーディオリモートコントロールのためのユーザインタフェースとして表示される。
【００２３】
メモリ１２１は、システム制御部１２６の作業領域として使用される。このメモリ１２１には、システム制御部１２６によって実行される各種プログラムおよびデータが格納される。第１の無線通信部１２２は他のＢｌｕｅｔｏｏｔｈデバイスとの無線通信を実行する。この無線通信部１０５はベースバンド部およびＲＦ部を含んでいる。第２の無線通信部１２３は、基地局を介して携帯電話網との無線通信を実行する。電源部１２４はバッテリ（または乾電池）とこのバッテリから携帯電話１２の各コンポーネントに供給すべき動作電源を生成する電源回路とを含む。
【００２４】
入力部１２５は、携帯電話１２を操作するための各種ボタンスイッチ（キー）から構成されている。ユーザは、入力部１２５を操作することにより、電話機能の制御および携帯型オーディオプレーヤ１１をリモートコントロールするための制御を行うなうことができる。システム制御部１２６は、携帯電話１２の動作を制御するプロセッサであり、携帯電話１２の電話機能を実現するための各種処理を実行すると共に、携帯電話１２をリモートコントローラとして機能させるための各種処理をオーディオリモートコントロールアプリケーションに従って実行する。
【００２５】
図４は、オーディオリモートコントロールアプリケーションによって携帯電話１２の表示部１２０に表示されるリモートコントロール画面の例を示している。
【００２６】
リモートコントロール画面は、図４に示されているように、インジケータ部２１、ディスプレイ部２２、およびリモコンボタン部２３を表示する。インジケータ部２１には、携帯型オーディオプレーヤ１１に現在設定されているオーディオデータ再生環境を示す再生環境情報として、現在の再生モード（通常再生、フォルダ再生、リピート再生、ランダム再生等）、現在の音質（現在選択されているイコライザの種類）、現在の音量等の情報が表示される。さらに、インジケータ部２１には、現在のバッテリ残量等が表示される。ディスプレイ部２２には、現在再生中または再生対象に選択されているオーディオデータに関する再生情報（トラック番号、オーディオデータ名、アーティスト名、アルバム名、再生開始からの経過時間等）が表示される。
【００２７】
リモコンボタン部２３は携帯型オーディオプレーヤ１１をリモートコントロールするための機能が携帯電話１２のどのキーに割り当てられているかをユーザに提示する操作ガイド表示部であり、リモコンボタン部２３には、携帯電話１２のキー群それぞれに割り当てられた機能をユーザにガイダンスするための複数のボタン（アイコン）３１〜３５が表示される。これらボタン３１〜３５の配置位置は、図５に示す携帯電話１２のキー群の配置位置に対応している。ボタン３１は、再生／停止（一時停止）、早送り（または次の曲へスキップ）、早戻し（または前の曲へスキップ）、ボリュームアップ、ボリュームダウンに対応する機能が携帯電話１２のカーソルキー３１に割り当てられていることを示す。“メニュー”ボタン３２は操作メニューを表示するための機能が携帯電話１２のキー３２０に割り当てられていることを示している。“ＢＴ”ボタン３３はＢｌｕｅｔｏｏｔｈの無線通信動作を設定するための機能が携帯電話１２のキー３３に割り当てられていることを示す。ボタン３４は、オーディオプレーヤ１１が使用するイコライザの種類を変更する機能が携帯電話１２のキー３４０に割り当てられていることを示している。“電源”ボタン３５は、オーディオプレーヤ１１のパワーオン／パワーオフするための機能が携帯電話１２のキー３５０に割り当てられていることを示している。
【００２８】
次に、図６を参照して、オーディオリモートコントロールアプリケーションの起動時にそのオーディオリモートコントロールアプリケーションによって実行される処理について説明する。
【００２９】
オーディオリモートコントロールアプリケーション（ＡＵＤＩＯリモコン）が実行対象のアプリケーションとして選択されている状態で、“起動”ボタンに対応する携帯電話１２の所定のキーが押された時、オーディオリモートコントロールアプリケーションが実行される。この場合、オーディオリモートコントロールアプリケーションは、まず、オーディオプレーヤ１１が通信相手のＢｌｕｅｔｏｏｔｈデバイスとして携帯電話１２に登録されているかどうかを判断する。登録済みであるならば、オーディオリモートコントロールアプリケーションは、図４で説明したリモートコントロール画面を表示する。オーディオリモートコントロールアプリケーションは、オーディオプレーヤ１１と携帯電話１２との間の無線接続（Ｂｌｕｅｔｏｏｔｈリンク）を確立し、オーディオプレーヤ１１との無線通信を開始する。そして、オーディオリモートコントロールアプリケーションは、オーディオプレーヤ１１との無線通信によって、現在選択されているオーディオデータに関する再生情報、および音質、音量等の再生環境情報をオーディオプレーヤ１１から取得し、それら再生情報および再生環境情報をリモートコントロール画面上に表示する。この状態で、例えば“再生／停止（一時停止）”ボタンに対応する携帯電話１２のキーがユーザによって操作されると、オーディオリモートコントロールアプリケーションは、再生を指示するコマンド（キーコード）を無線信号によってオーディオプレーヤ１１に伝送する。これにより、オーディオプレーヤ１１は、現在選択されているオーディオデータを再生する。また“早送り”ボタンに対応する携帯電話１２のキーがユーザによって操作されると、オーディオリモートコントロールアプリケーションは、次の曲へのスキップを指示するコマンド（キーコード）を無線信号によってオーディオプレーヤ１１に伝送する。これにより、オーディオプレーヤ１１は、現在選択されているオーディオデータの次のオーディオデータを選択する。選択されたオーディオデータに関する再生情報は、オーディオプレーヤ１１から携帯電話１２に無線信号によって伝送され、その再生情報がリモートコントロール画面上に表示される。
【００３０】
一方、オーディオプレーヤ１１が通信相手のＢｌｕｅｔｏｏｔｈデバイスとして登録されていないならば、オーディオリモートコントロールアプリケーションは、Ｂｌｕｅｔｏｏｔｈの通信機能を設定するための設定画面（Ｂｌｕｅｔｏｏｔｈメニュー）を表示して、Ｂｌｕｅｔｏｏｔｈデバイスを登録すべきことをユーザに促す。設定画面上の“接続機器登録”機能がユーザによって選択されると、オーディオリモートコントロールアプリケーションは、Ｂｌｕｅｔｏｏｔｈデバイスを登録するための処理を開始する。この場合、オーディオリモートコントロールアプリケーションは、携帯電話１２の周辺に存在するＢｌｕｅｔｏｏｔｈデバイスを検出するためのデバイスディスカバーリー処理等を実行する。
【００３１】
また、ユーザは、設定画面上で、“接続相手リスト”表示、“自機情報”表示、“自動切断時間設定”、“アプリケーションの終了”等の機能を起動することができる。“接続相手リスト”がユーザによって選択された場合、オーディオリモートコントロールアプリケーションは、携帯電話１２に登録されているＢｌｕｅｔｏｏｔｈデバイスの一覧を表示する。“自機情報”がユーザによって選択された場合、オーディオリモートコントロールアプリケーションは、携帯電話１２のＢｌｕｅｔｏｏｔｈアドレス等の情報を表示する。“アプリケーションの終了”がユーザによって選択された場合、オーディオリモートコントロールアプリケーションは終了する。
【００３２】
次に、オーディオプレーヤ１１に格納されているオーディオデータ群の一覧を携帯電話１２の表示部１２０に表示し、その一覧の中から再生対象のオーディオデータを選択する処理について説明する。
【００３３】
（１）無線接続の確立：  最初に、携帯電話１２とオーディオプレーヤ１１との間の無線接続を確立する処理が実行される。
【００３４】
（２）オーディオデータ取得要求：  オーディオリモートコントロールアプリケーションはオーディオデータ取得要求を無線信号によってオーディオプレーヤ１１に伝送する。
【００３５】
（３）コンテンツ情報の送信：  オーディオプレーヤ１１は、携帯電話１２からのオーディオデータ取得要求に応答して、ＨＤＤ１０７に格納されているオーディオデータ群を示すコンテンツ情報（リスト情報）を無線信号によって携帯電話１２に伝送する。
【００３６】
（４）オーディオデータの一覧を表示：  オーディオリモートコントロールアプリケーションは、オーディオプレーヤ１１からのコンテンツ情報に基づいて、ＨＤＤ１０７に格納されているオーディオデータ群の一覧を表示部１２０に表示する。携帯電話１２の表示部１２０の解像度は十分に高いので、オーディオプレーヤ１１の表示部１０３に表示可能なオーディオデータの一覧よりも多くのオーディオデータを含むオーディオデータの一覧を一度に表示することができる。
【００３７】
（５）オーディオデータの選択：  ユーザは、オーディオデータの一覧の中から再生対象のオーディオデータを選択することができる。
【００３８】
（６）再生コマンドの送信：  オーディオリモートコントロールアプリケーションは選択されたオーディオデータの再生を指示する再生コマンドを無線信号によってオーディオプレーヤ１１に伝送する。
【００３９】
（７）再生：  オーディオプレーヤ１１はオーディオデータを再生すると共に、再生中のオーディオデータに関する再生情報および再生環境情報を無線信号によって携帯電話１２に伝送する。オーディオリモートコントロールアプリケーションは再生情報および再生環境情報をリモートコントロール画面上に表示する。
【００４０】
このように、オーディオプレーヤ１１のＨＤＤ１０７に格納されているオーディオデータ群の一覧を携帯電話１２の表示部１２０に表示することにより、解像度の大きい表示部１２０を有効利用することが可能となり、これによってユーザは再生対象のオーディオデータを容易に選択することができる。
【００４１】
上述したように、ＨＤＤ１０７に格納されているオーディオデータ群は複数のフォルダに分類して管理されている。このため、実際には、オーディオデータの一覧はフォルダ単位で表示される。また、あるフォルダ内の全てのオーディオデータ群を再生対象として一括して選択することもできる（フォルダ再生）。
【００４２】
次に、図７を参照して、上述のフォルダ再生のための処理手順を説明する。
【００４３】
（１）メニュー表示
リモートコントロール画面の“メニュー”ボタンに対応する携帯電話１２のキーがユーザによって操作された場合、オーディオリモートコントロールアプリケーションは、メニュー画面を表示部１２０に表示する。メニュー画面上の“ナビ”の項目が携帯電話１２のキー操作によって選択されると、オーディオリモートコントロールアプリケーションは、“フォルダ”、“ライブラリ”、“ブックマーク”、“ゴミ箱”の項目を表示する。
【００４４】
（２）フォルダの一覧表示
“フォルダ”の項目が携帯電話１２のキー操作によって選択されると、オーディオリモートコントロールアプリケーションは、フォルダ表示コマンドをオーディオデータ取得要求として無線信号によってオーディオプレーヤ１１に伝送する。オーディオプレーヤ１１は、フォルダの一覧を示すコンテンツ情報を携帯電話１２に無線信号によって伝送する。オーディオリモートコントロールアプリケーションは、コンテンツ情報に基づいて、フォルダの一覧を表示部１２０に表示する。図７においては、“ＵＳ−ＰＯＰ”、“Ｊ−ＰＯＰ”、“Ｐｌａｙｌｉｓｔ  ０１”の３つのフォルダ名が表示されている。下層にサブフォルダが存在するフォルダのフォルダ名の横には、“＞”のマークが表示される。
【００４５】
（３）フォルダの選択
ユーザはカーソルキー３１０の上方向キー（ＵＰボタン）、下方向キー（ＤＯＷＮボタン）を操作することにより、目的のフォルダを選択することができる。また、ユーザによってカーソルキー３１０の右方向キー（ＲＩＧＨＴボタン）が操作されると、選択されているフォルダ内に属する、オーディオデータ群およびサブフォルダ群の一覧が表示される。
【００４６】
（４）再生
あるフォルダまたはオーディオデータが選択されている状態で選択ボタンに対応する携帯電話１２のキーがユーザによって操作されると、選択されたフォルダ内のオーディオデータ群の再生、または選択されたオーディオデータの再生が開始される。例えば、あるフォルダが選択されている状態で選択ボタンに対応する携帯電話１２のキーがユーザによって操作されたならば、オーディオリモートコントロールアプリケーションは、選択されたフォルダに属する全てのオーディオデータの再生を指示するコマンドを無線信号によってオーディオプレーヤ１１に伝送する。オーディオプレーヤ１１は、選択されたフォルダに属する全てのオーディオデータを順番に再生する。
【００４７】
次に、図８を参照して、自動切断機能について説明する。
【００４８】
この自動切断機能は、携帯電話１２が所定期間操作されなかった場合に、オーディオプレーヤ１１によるオーディオデータの再生動作を継続した状態で携帯電話１２とオーディオプレーヤ１１との間の無線接続を自動的に切断する機能である。携帯電話１２とオーディオプレーヤ１１との間の無線接続が確立されている状態においては、たとえ携帯電話１２からオーディオプレーヤ１１に何らコマンドが伝送されずとも、携帯電話１２とオーディオプレーヤ１１との間のデータ転送が定期的に実行される。この無線通信により、携帯電話１２の消費電力は増加する。自動切断機能を利用することにより、携帯電話１２の消費電力を低減することができる。自動切断時間の設定は以下の手順で行われる。
【００４９】
（１）Ｂｌｕｅｔｏｏｔｈメニューの表示
リモートコントロール画面の“ＢＴ”ボタンに対応する携帯電話１２のキーがユーザによって操作された場合、オーディオリモートコントロールアプリケーションは、Ｂｌｕｅｔｏｏｔｈメニュー画面を表示部１２０に表示する。
【００５０】
（２）自動切断時間の設定
Ｂｌｕｅｔｏｏｔｈメニュー画面上の“自動切断時間設定”が選択されると、オーディオリモートコントロールアプリケーションは、自動切断時間を入力するための入力フィールドを含む自動切断時間設定を表示する。
【００５１】
オーディオリモートコントロールアプリケーションは、入力フィールドに入力された時間を自動切断時間設定として環境設定ファイルに保存する。オーディオリモートコントロールアプリケーションを操作するための入力が一定時間（環境設定ファイルに保存されている自動切断時間）行われなかった場合、オーディオリモートコントロールアプリケーションはオーディオプレーヤ１１との間の無線接続を自動的に切断する。無線接続が切断された後も、オーディオプレーヤ１１は現在のオーディオデータの再生を継続して実行する。ユーザは、必要なときだけオーディオリモートコントロールアプリケーションを起動して、オーディオプレーヤ１１をリモートコントロールすることができる。
【００５２】
次に、図９を参照して、携帯電話１２とオーディオプレーヤ１１との間のデータ伝送について説明する。
【００５３】
リモートコントロール画面上の再生／停止（一時停止）ボタンに対応する携帯電話１２のキーが操作されると、携帯電話１２は、操作されたキーのキーコードを再生コマンドとしてオーディオプレーヤ１１に無線信号によって伝送する。オーディオプレーヤ１１は、現在選択されているオーディオデータの再生を開始すると共に、その再生中のオーディオデータに関する再生情報（オーディオデータ名、アーティスト名、アルバム名のような曲情報）を無線信号によって携帯電話１２に伝送する。再生情報はリモートコントロール画面上に表示される。
【００５４】
現在選択されているオーディオデータの再生が終了すると、オーディオプレーヤ１１は次のオーディオデータの再生を開始する。この場合、オーディオプレーヤ１１は、次のオーディオデータに関する再生情報（オーディオデータ名、アーティスト名、アルバム名のような曲情報）を無線信号によって携帯電話１２に伝送する。再生情報はリモートコントロール画面上に表示される。
【００５５】
リモートコントロール画面上の早送りボタンに対応する携帯電話１２のキーが操作されると、携帯電話１２は、そのキーコードをオーディオデータのスキップを指示するコマンドとしてオーディオプレーヤ１１に無線信号によって伝送する。オーディオプレーヤ１１は、現在選択されているオーディオデータの次のオーディオデータを選択し、その再生を開始すると共に、その選択したオーディオデータに関する再生情報（オーディオデータ名、アーティスト名、アルバム名のような曲情報）を無線信号によって携帯電話１２に伝送する。再生情報はリモートコントロール画面上に表示される。
【００５６】
また、上述の“ナビ”機能を用いることによって“フォルダ”がユーザによって選択されると、携帯電話１２は、全てのフォルダの一覧を要求するフォルダ表示コマンドを無線信号によってオーディオプレーヤ１１に伝送する。オーディオプレーヤ１１は、ＨＤＤ１０７に格納されているフォルダの一覧を示すコンテンツ情報を携帯電話１２に無線信号によって伝送する。フォルダの一覧は携帯電話１２の表示部１２０に表示される。ユーザによってあるフォルダが選択されると、携帯電話１２は、選択されたフォルダ内のオーディオデータ群およびサブフォルダ群の一覧を要求するフォルダ表示コマンドを無線信号によってオーディオプレーヤ１１に伝送する。オーディオプレーヤ１１は、選択されたフォルダ内のオーディオデータ群およびサブフォルダ群の一覧を携帯電話１２に無線信号によって伝送する。オーディオデータ群およびサブフォルダ群の一覧は携帯電話１２の表示部１２０に表示される。ユーザによってあるオーディオデータが選択されると、携帯電話１２は、その選択されたオーディオデータの再生を指示する再生コマンドを無線信号によってオーディオプレーヤ１１に伝送する。オーディオプレーヤ１１は、再生コマンドで指定されたオーディオデータの再生を開始すると共に、そのオーディオデータに関する再生情報を携帯電話１２に無線信号によって伝送する。
【００５７】
以上のように、本実施形態によれば、携帯電話１２の表示部１２０に、オーディオプレーヤ１１に格納されたフォルダ群およびオーディオデータ群の一覧が表示されるので、ユーザは、その一覧の中から再生対象のフォルダおよびオーディオデータを携帯電話１２の表示部１２０を見ながら容易に選択することができる。なお、オーディオプレーヤ１１は必ずしも携帯型である必要はなく、据え置き型のオーディオ機器であってもよい。
【００５８】
図１０には、コンテンツサーバ１３と携帯電話１２（リモートコントローラ）との関係が示されている。
【００５９】
携帯電話（リモートコントローラ）１２は、第２の無線通信部１２３を用いてコンテンツサーバ１３にアクセスすることによって、最新のオーディオリモートコントロールアプリケーション（リモートコントロールプログラム）１５１をダウンロードすることができる。ダウンロードされたオーディオリモートコントロールアプリケーションは携帯電話１２のメモリ１２１に格納される。メモリ１２１に格納されたオーディオリモートコントロールアプリケーションはシステム制御部１２５によって実行される。
【００６０】
よって、将来的に新たなオーディオプレーヤが市場に投入された場合にも、それに対応したリモートコントロールプログラムをダウンロードすることで対応が可能となるというメリットがある。
【００６１】
図１１は、オーディオプレーヤ１１を複数のユーザによって共有する場合を示している。オーディオプレーヤ１１は例えば据え置き型のオーディオ機器として実現されている。
【００６２】
複数のユーザはそれぞれ自分の所有する携帯電話（リモートコントローラ）＃１，＃２，＃３を用いてオーディオプレーヤ１１をリモートコントロールすることができる。オーディオプレーヤ１１に対しては、同時には１つの携帯電話（リモートコントローラ）のみが接続できるものとする。
【００６３】
オーディオプレーヤ１１は、携帯電話（リモートコントローラ）＃１，＃２，＃３の各々に対応する接続情報を、各携帯電話（リモートコントローラ）を識別する識別情報に対応づけてメモリ１０６に保存する。識別情報としては、例えば、携帯電話（リモートコントローラ）＃１，＃２，＃３それぞれのＢｌｕｅｔｏｏｔｈアドレスが使用される。接続情報は、最後に再生されたオーディオデータ、およびオーディオデータ再生環境（音量、音質（イコライザの種類）、再生モード等）等を示す。オーディオプレーヤ１１は、オーディオプレーヤ１１に現在無線接続されている携帯電話（リモートコントローラ）から音量および音質を調整する再生制御情報を受信すると、その再生制御情報に従って音量および音質を調整すると共に、その調整された音量および音質を示す再生環境情報を、現在無線接続されている携帯電話（リモートコントローラ）の識別情報に対応づけて接続情報の一つとして保存する。
【００６４】
オーディオプレーヤ１１は、ある携帯電話（リモートコントローラ）が新たにオーディオプレーヤ１１に無線接続された場合、その携帯電話（リモートコントローラ）の識別情報に対応する接続情報をメモリ１０６から検索する。そして、オーディオプレーヤ１１は、その検索された接続情報に基づいて、オーディオプレーヤ１１のオーディオデータ再生環境を新たに接続された携帯電話（リモートコントローラ）に対応したオーディオデータ再生環境に復元する。
【００６５】
以上のように、オーディオプレーヤ１１に無線接続されるリモートコントローラに応じて、オーディオプレーヤ１１の設定は自動的に変更される。これにより、各ユーザは、自分の所有する携帯電話（リモートコントローラ）を用いてオーディオプレーヤ１１に無線接続するだけで、前回再生していた曲、イコライザの種類、再生モード、ボリュームを自動的に設定することができる。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６７】
【図１】本発明の一実施形態に係るリモートコントロール方法を用いたリモートコントロールシステムの構成例を示す図。
【図２】図１のリモートコントロールシステムで用いられるオーディオプレーヤの構成を示すブロック図。
【図３】図１のリモートコントロールシステムで用いられるリモートコントローラの構成を示すブロック図。
【図４】図３のリモートコントローラの表示部に表示されるリモートコントロール画面の例を示す図。
【図５】図３のリモートコントローラに設けられたキー群の例を示す図。
【図６】図３のリモートコントローラ内のオーディオリモートコントロールアプリケーションの起動時に実行される処理を説明するための図。
【図７】図３のリモートコントローラを用いてフォルダ再生を実行する場合の処理手順を説明するための図。
【図８】図３のリモートコントローラに設けられた自動切断機能を説明するための図。
【図９】図１のリモートコントロールシステムにおいてリモートコントローラとオーディオプレーヤとの間で実行されるデータ伝送を説明するための図。
【図１０】図１のリモートコントロールシステムにおいてリモートコントローラがコンテンツサーバからアプリケーションをダウンロードする様子を示す図。
【図１１】図１のリモートコントロールシステムにおいて複数のリモートコントローラによってオーディオプレーヤを操作する例を示す図。
【符号の説明】
【００６８】
１１…オーディオプレーヤ、１２…リモートコントローラ（携帯電話）、１３…コンテンツサーバ、１０５，１２２，１２３…無線通信部、１０９，１２６…システム制御部。
【図１】
2006094414.tif 000003
【図２】
2006094414.tif 000004
【図３】
2006094414.tif 000005
【図４】
2006094414.tif 000006
【図５】
2006094414.tif 000007
【図６】
2006094414.tif 000008
【図７】
2006094414.tif 000009
【図８】
2006094414.tif 000010
【図９】
2006094414.tif 000011
【図１０】
2006094414.tif 000012
【図１１】
2006094414.tif 000013